(57)【要約】【課題】  従来のコンデンサモータにおいてはコンデンサの固定及びその電気的接続が極めて面倒であり、また、コスト高となる欠点があった。【解決手段】  本発明のコンデンサモータは、固定子鉄芯に一体に着脱自在に取り付けられる、電気的接続端子を突設せしめた進相コンデンサと、この接続端子とボビン巻きコイルに設けたピン端子間を電気的に接続するよう上記固定子鉄芯の一側に被せたプリント配線基板と、このプリント配線基板をカバーするエンドブラケットとを有する。【選択図】  図１
2005080389.tif 000002
【特許請求の範囲】
【請求項１】
固定子鉄芯に一体に着脱自在に取り付けられる進相コンデンサを有することを特徴とするコンデンサモータ。
【請求項２】
固定子鉄芯に一体に着脱自在に取り付けられる、電気的接続端子を突設せしめた進相コンデンサと、上記電気的接続端子とボビン巻きコイルに設けたピン端子間を電気的に接続するよう上記固定子鉄芯の一側に被せたプリント配線基板と、このプリント配線基板をカバーするエンドブラケットとを有することを特徴とするコンデンサモータ。
【請求項３】
上記固定子鉄芯がその外周面の一部に、溝とこれに嵌合する突条の何れか一方を有し、上記進相コンデンサが溝とこれに嵌合する突条の何れか他方を有することを特徴とする請求項１または２記載のコンデンサモータ。
【発明の詳細な説明】
【技術分野】
【０００１】
本発明はコンデンサモータ、特に、進相コンデンサを有するコンデンサモータに関するものである。
【背景技術】
【０００２】
従来、進相コンデンサを有するコンデンサモータは知られている。（特許文献１）。
【特許文献１】特開２０００−３０８３９２号公報（図１）。
【０００３】
図９はこのようなコンデンサモータを示し、１は固定子鉄芯、２は絶縁物製エンドブラケット、３は金属製エンドブラケット、４は箱型プラスチック樹脂進相コンデンサ、５はリード線である。
【０００４】
このようなコンデンサモータにおいては、進相コンデンサ４を絶縁物製エンドブラケット２の外周の一部に折り曲げた金属製エンドブラケット３の袖片６の外面にバンド７によってしばり付け固定している。
【０００５】
なお、図１０において８はボビン巻きコイル、９はボビン、１０はボビン９毎に立設せしめたピン端子、１１はこのピン端子に接続したリード線５の端子ブロックである。
【発明の開示】
【発明が解決しようとする課題】
【０００６】
然しながら、このような従来のコンデンサモータではコンデンサ４の固定及びその電気的接続が極めて面倒であり、また、コスト高となる欠点があった。
【０００７】
本発明は上記の欠点を除くようにしたものである。
【課題を解決するための手段】
【０００８】
本発明のコンデンサモータは、固定子鉄芯に一体に着脱自在に取り付けられる進相コンデンサを有することを特徴とする。
【０００９】
また、本発明のコンデンサモータは、固定子鉄芯に一体に着脱自在に取り付けられる、電気的接続端子を突設せしめた進相コンデンサと、上記電気的接続端子とボビン巻きコイルに設けたピン端子間を電気的に接続するよう上記固定子鉄芯の一側に被せたプリント配線基板と、このプリント配線基板をカバーするエンドブラケットとを有することを特徴とする。
【００１０】
上記固定子鉄芯がその外周面の一部に、溝とこれに嵌合する突条の何れか一方を有し、上記進相コンデンサが溝とこれに嵌合する突条の何れか他方を有することを特徴とする。
【発明の効果】
【００１１】
本発明のコンデンサモータによればコンデンサを極めて容易に固定子鉄芯に一体に固定でき、またその電気的接続も極めて簡単でコストを低下できる。
【発明を実施するための最良の形態】
【００１２】
以下図面によって本発明の実施例を説明する。
【実施例１】
【００１３】
本発明においては図１に示すように固定子鉄芯１の外周面の一部にモータの軸方向に互いに離間して延びる２本の溝１２，１２を形成し、この溝１２，１２に合致する突条１３，１３を図２に示すようにコンデンサ４の背面に形成し、上記コンデンサ４の突条１３，１３を上記固定子鉄芯１の溝１２，１２に圧入することによって上記コンデンサ４を上記固定子鉄芯１に着脱自在に固定せしめる。
【００１４】
また、上記コンデンサ４の上面にはピン端子状電気的接続端子１５を立設せしめ、上記コンデンサ４を上記固定子鉄芯１に固定した状態でこの端子１５の高さを上記ボビン巻きコイル８のピン端子１０と略同一ならしめる。
【００１５】
また、本発明においては図１に示すように電気的接続用の複数のピン端子１４を立設した端子台１６を固定子鉄芯１に固定せしめる。例えば、図３，図４に示すようにこの端子台１６の下面に突出部１６ａを突設し、この突出部１６ａを固定子鉄芯１に形成した孔１６ｂに挿入せしめることによって上記端子台１６を固定子鉄芯１に固定する。
【００１６】
また、図５に示すように上記コイル８のピン端子１０と端子台１６のピン端子１４及び上記コンデンサ４の端子１５を挿入せしめる孔１７〜１９と、これらピン端子１０，１４及び１５間を接続するプリント配線２０とを形成したプリント配線基板２１を上記ピン端子１０，１４及び１５が突出する側のモータ側面に被せ、上記孔１７〜１９に夫々上記ピン端子１０，１４及び１５が挿入されるようにし、これによって上記プリント配線基板２１に形成したプリント配線２０が上記コイル８のピン端子１０と上記端子台１６のピン端子１４及び上記コンデンサ４の端子１５間を電気的に接続するようにする。
【００１７】
また、本発明においては図６に示すように上記端子台１６上にそのピン端子１４を囲む端子接続孔２２を形成する絶縁部材２３を被せる。
【００１８】
また、図７に示すように上記プリント配線基板２１の上面と、上記端子台１６の絶縁部材２３の両端部上面に絶縁物製エンドブラケット２を被せ、これによってプリント配線基板２１を外部から電気的に絶縁せしめるようにする。
【００１９】
また、図８に示すように絶縁物製エンドブラケット２と上記端子台１６上に金属製エンドブラケット３を被せ、これを上記固定子鉄芯１の反対側に位置する同様の絶縁物製エンドブラケットと金属製エンドブラケットに取付ネジ（図示せず）によって締付固定せしめる。
【００２０】
本発明のコンデンサモータは上記のような構成であるから取付ネジやタイラップ等を用いることなくコンデンサを極めて簡単容易にモータに一体に固定することができるようになる。
【００２１】
なお、一般に進相コンデンサは温度に弱いものであり、高温の生ずる場所での固定は好ましくないが、例えばファンモータにおいてはその固定子鉄芯の温度が高くならないため本発明はファンモータに適用するのが特に好ましい。
【図面の簡単な説明】
【００２２】
【図１】本発明のモータの一部の斜視図である。
【図２】本発明のコンデンサモータにおいて用いるコンデンサの斜視図である。
【図３】本発明のコンデンサモータにおける端子台の正面図である。
【図４】図２に示す端子台の平面図である。
【図５】本発明のモータにおけるプリント配線基板の平面図である。
【図６】本発明のコンデンサモータの一部の平面図である。
【図７】本発明のコンデンサモータの一部の平面図である。
【図８】本発明のコンデンサモータの一部の平面図である。
【図９】従来のモータの一部の斜視図である。
【図１０】図９に示すモータの一部の分解斜視図である。
【符号の説明】
【００２３】
１    固定子鉄芯
２    絶縁物製エンドブラケット
３    金属製エンドブラケット
４    箱型プラスチック樹脂進相コンデンサ
５    リード線
６    袖片
７    バンド
８    ボビン巻きコイル
９    ボビン
１０    ピン端子
１１    端子ブロック
１２    溝
１３    突条
１４    ピン端子
１５    ピン端子
１６    端子台
１６ａ  突出部
１６ｂ  孔
１７    孔
１８    孔
１９    孔
２０    プリント配線
２１    プリント配線基板
２２    端子接続孔
２３    絶縁部材
【図１】
2005080389.tif 000003
【図２】
2005080389.tif 000004
【図３】
2005080389.tif 000005
【図４】
2005080389.tif 000006
【図５】
2005080389.tif 000007
【図６】
2005080389.tif 000008
【図７】
2005080389.tif 000009
【図８】
2005080389.tif 000010
【図９】
2005080389.tif 000011
【図１０】
2005080389.tif 000012